(57)【要約】【課題】風向と風量を室内側から容易に調整することができる床吹出口器を得る。【解決手段】床吹出口器１０は、床スラブ１０４と間隔をあけて支持されたフロアパネル１０２に形成された吹出口１１２へ嵌め込まれた筒体１６と、筒体１６の底部１６Ｂに形成された第１開口部１７と、底部１６Ｂに回転可能に重ね合わされた回転板２０と、回転板２０に形成され第１開口部１７の通風面積を可変とする第２開口部２１と、筒体１６の上部開口に回転可能に取り付けられ、吹出方向がフロアパネル１０２に対して斜めとされた吹出スリット１３が形成された目皿１２と、目皿１２に回動可能に取り付けられ、回転板２０を回転操作する風量調整ピン２２と、を有する。【選択図】図１
2020091043.tif 000002
【特許請求の範囲】
【請求項１】
床スラブと間隔をあけて支持された床材に形成された吹出口へ嵌め込まれた筒体と、
前記筒体の底部に形成された第１開口部と、
前記底部に回転可能に重ね合わされた回転板と、
前記回転板に形成され前記第１開口部の通風面積を可変とする第２開口部と、
前記筒体の上部開口に回転可能に取り付けられ、吹出方向が前記床材に対して斜めとされた吹出スリットが形成された蓋部材と、
前記蓋部材に回動可能に取り付けられ、前記回転板を回転操作する操作部材と、
を有する床吹出口器。
【請求項２】
前記第１開口部は、前記底部に前記回転板の回転方向に沿って複数形成されており、
前記第２開口部は、前記回転板に前記回転板の回転方向に沿って複数形成されている請求項１に記載の床吹出口器。
【請求項３】
前記操作部材は、前記蓋部材の中央部に配置され、前記回転板の中央部に連結されるピンである請求項１又は請求項２に記載の床吹出口器。
【請求項４】
前記吹出口は、隣り合うフロアパネルの辺を切り欠いた切欠き部を合わせて矩形状に形成され、
前記筒体は、前記切欠き部に嵌る矩形プレートに取り付けられている請求項１から請求項３までのいずれか１項に記載の床吹出口器。
【請求項５】
請求項１から請求項４までのいずれか１項に記載の床吹出口器を備え、
前記床スラブと前記床材との間に風が送られると共に、前記床材は通気性を有する床吹出口構造。
【発明の詳細な説明】
【技術分野】
【０００１】
本発明は、床吹出口器及び床吹出口構造に関する。
【背景技術】
【０００２】
下記特許文献１には、上下方向に対して斜めの複数のスリットを備えた円形状の吹き出し部材を回転させることで、風向を変える床吹出し空調ユニットが開示されている。
【０００３】
下記特許文献２には、一の貫通孔を備えた第一の板部材と他の貫通孔を備えた第二の板部材とを相対的に回転させ、一の貫通孔と他の貫通孔の開口の大きさを変えることで、風量を調整する風量調整部を備えた床空調用風量調整器が開示されている。
【０００４】
下記特許文献３には、中央領域に上下方向に対して斜めの複数の開口孔を備えた円形状の気流案内手段を備え、気流案内手段を回転させることで、風向を変える床吹出口装置が開示されている。さらに、この床吹出口装置では、気流案内手段の下側に設けられた風量調整手段をスライドさせ、複数の開口孔の開口面積を可変させる。
【先行技術文献】
【特許文献】
【０００５】
【特許文献１】特開平６−１７４２６０号公報
【特許文献２】特開平１０−３０６９４２号公報
【特許文献３】特開２００４−２０５０８０号公報
【発明の概要】
【発明が解決しようとする課題】
【０００６】
特許文献１に記載の構造では、複数のスリットから吹き出される風の風量を調整することはできない。
【０００７】
特許文献２に記載の構造では、吹出器から吹き出される風の風向を調整することはできない。
【０００８】
特許文献３に記載の構造では、複数の開口孔から吹き出される風の風向と風量を室内側から容易に調整することが難しく、改善の余地がある。
【０００９】
本発明は上記事実を考慮し、風向と風量を室内側から容易に調整することができる床吹出口器及び床吹出構造を提供することが目的である。
【課題を解決するための手段】
【００１０】
請求項１の発明に係る床吹出口器は、床スラブと間隔をあけて支持された床材に形成された吹出口へ嵌め込まれた筒体と、前記筒体の底部に形成された第１開口部と、前記底部に回転可能に重ね合わされた回転板と、前記回転板に形成され前記第１開口部の通風面積を可変とする第２開口部と、前記筒体の上部開口に回転可能に取り付けられ、吹出方向が前記床材に対して斜めとされた吹出スリットが形成された蓋部材と、前記蓋部材に回動可能に取り付けられ、前記回転板を回転操作する操作部材と、を有する。
【００１１】
請求項１に記載の発明によれば、床スラブと間隔をあけて支持された床材に形成された吹出口には、筒体が嵌め込まれている。筒体の上部開口には、蓋部材が回転可能に取り付けられており、蓋部材には、床材に対して斜めとされた吹出スリットが形成されている。これにより、室内側、すなわち床材の上方側から蓋部材を筒体に対して回転させることで、吹出スリットから吹き出される風の方向が調整される。また、筒体の底部には、第１開口部が形成されており、底部に回転板が回転可能に重ね合わされている。回転体には、第１開口部の通風面積を可変とする第２開口部が形成されており、回転板を回転操作する操作部材が蓋部材に回動可能に取り付けられている。これにより、室内側、すなわち床材の上方側から操作部材を回動させることで、回転板が回転され、第２開口部の位置により第１開口部の通風面積が可変される。このため、第１開口部から筒体に導入される風量が調整され、吹出スリットから吹き出される風の風量が調整される。この床吹出口器では、室内側からの蓋部材の回転と操作部材の回動操作により、風向と風量を容易に調整することができる。
【００１２】
請求項２の発明に係る床吹出口器は、請求項１に記載の床吹出口器において、前記第１開口部は、前記底部に前記回転板の回転方向に沿って複数形成されており、前記第２開口部は、前記回転板に前記回転板の回転方向に沿って複数形成されている。
【００１３】
請求項２に記載の発明によれば、筒体の底部には、回転板の回転方向に沿って複数の第１開口部が形成されており、回転板には、回転板の回転方向に沿って複数の第２開口部が形成されている。そして、操作部材により回転板を回転させることで、複数の第２開口部の位置により複数の第１開口部の通風面積が可変される。このため、風量の調整が容易であると共に、回転板の回転方向に沿って風の吹出量が偏ることが抑制される。
【００１４】
請求項３の発明に係る床吹出口器は、請求項１又は請求項２に記載の床吹出口器において、前記操作部材は、前記蓋部材の中央部に配置され、前記回転板の中央部に連結されるピンである。
【００１５】
請求項３に記載の発明によれば、操作部材は、蓋部材の中央部に配置され、回転板の中央部に連結されるピンであるので、簡単な構成により、室内側、すなわち床材の上方側から回転板を回転させる操作部材を設けることができる。
【００１６】
請求項４の発明に係る床吹出口器は、請求項１から請求項３までのいずれか１項に記載の床吹出口器において、前記吹出口は、隣り合うフロアパネルの辺を切り欠いた切欠き部を合わせて矩形状に形成され、前記筒体は、前記切欠き部に嵌る矩形プレートに取り付けられている。
【００１７】
請求項４に記載の発明によれば、標準品のフロアパネルに切欠き部を形成でき、床材に専用の吹出口を設けずに済む。
【００１８】
請求項５の発明に係る床吹出構造は、請求項１から請求項４までのいずれか１項に記載の床吹出口器を備え、前記床スラブと前記床材との間に風が送られると共に、前記床材は通気性を有する。
【００１９】
請求項５に記載の発明によれば、床スラブと床材との間に送られた風が、通気性を有する床材の面から室内側に通気される。このため、床材の面からの通気により、空調の気流を感じさせない快適な室内空間を得ることができる。
【発明の効果】
【００２０】
本発明によれば、風向と風量を室内側から容易に調整することができる。
【図面の簡単な説明】
【００２１】
【図１】（Ａ）は、第１実施形態の床吹出口器を示す平面図であり、（Ｂ）は、第１実施形態の床吹出口器を示す断面図であり、（Ｃ）は、第１実施形態の床吹出口器を示す背面図である。
【図２】（Ａ）は、第１実施形態の床吹出口器に用いられる蓋部材を示す平面図であり、（Ｂ）は、第１実施形態の床吹出口器に用いられる蓋部材を示す断面図（図２（Ａ）中の２Ｂ−２Ｂ線に沿った断面図）である。
【図３】（Ａ）は、第１実施形態の床吹出口器に用いられる筒体を示す平面図であり、（Ｂ）は、第１実施形態の床吹出口器に用いられる筒体を示す側面図である。
【図４】（Ａ）は、第１実施形態の床吹出口器に用いられる回転板を示す平面図であり、（Ｂ）は、第１実施形態の床吹出口器に用いられる回転板を示す側面図である。
【図５】（Ａ）は、筒体に対して回転板を回転させて通風面積を変えた第１状態を示す図であり、（Ｂ）は、筒体に対して回転板を回転させて通風面積を変えた第２状態を示す図である。
【図６】第１実施形態の床吹出口器を備えた床吹出口構造の一例を示す断面図である。
【図７】第１実施形態の床吹出口器が隣り合うフロアパネルの切欠き部を合わせた吹出口に取り付けられる前の状態を示す平面図である。
【図８】第１実施形態の床吹出口器を備えた床吹出口構造の変形例を示す立面図である。
【発明を実施するための形態】
【００２２】
本発明の実施の形態について、図面を基に詳細に説明する。なお、本発明と関連性の低いものは図示を省略している。
【００２３】
〔第１実施形態〕
第１実施形態の床吹出口器及び床吹出口構造について図１〜図７を参照して説明する。
【００２４】
（構造）
図６は、第１実施形態の床吹出口器１０を備えた床吹出口構造１００の一例を示す断面図である。図６に示されるように、床吹出口構造１００は、部屋１０１の床を構成する床材としてのフロアパネル１０２と、フロアパネル１０２に形成された吹出口１１２に取り付けられた床吹出口器１０と、を備えている。フロアパネル１０２は、床スラブ１０４上に立設された複数の支持脚１０６により、床スラブ１０４と所定の間隔をあけて支持されている。フロアパネル１０２と床スラブ１０４との間には、空間Ｓが設けられている。部屋１０１の外部には、図示しない空調システムが設けられており、空調システムから送出された風がフロアパネル１０２と床スラブ１０４との間の空間Ｓを所定の方向（本実施形態では、矢印Ａ方向）に送られる。すなわち、フロアパネル１０２と床スラブ１０４との間の空間Ｓは、風が送られる送風ダクトとしての機能を有している。フロアパネル１０２と床スラブ１０４との間の空間Ｓを送風される風は、床吹出口器１０から部屋１０１の内部（矢印Ｂ方向を参照）に吹き出されるようになっている。
【００２５】
図７は、床吹出口器１０がフロアパネル１０２に取り付けられる前の状態を示す平面図である。図７に示されるように、フロアパネル１０２は、略正方形状に形成されており、フロアパネル１０２の４辺のうちの１つの辺１０２Ａには、辺１０２Ａの中間部を切り欠いた切欠き部１１０が形成されている。隣り合うフロアパネル１０２における切欠き部１１０が形成された辺１０２Ａを接触させ、隣り合うフロアパネル１０２の切欠き部１１０を合わせることで、矩形状（本実施形態では略正方形状）の吹出口１１２が形成されている。床吹出口器１０の後述する矩形状の枠体１４は、隣り合うフロアパネル１０２に形成された吹出口１１２に嵌め込まれることで、隣り合うフロアパネル１０２における吹出口１１２の縁部に取り付けられている。
【００２６】
次に、床吹出口器１０について説明する。図１（Ａ）は、床吹出口器１０の平面図であり、図１（Ｂ）は、床吹出口器１０の断面図であり、図１（Ｃ）は、床吹出口器１０の背面図である。図１（Ａ）〜（Ｃ）に示されるように、床吹出口器１０は、複数の吹出スリット１３が形成された蓋部材としての目皿１２と、目皿１２が回転可能に嵌め込まれる枠体１４と、枠体１４が取り付けられる筒体１６と、を備えている。筒体１６は、箱状に形成されており、筒状の側部１６Ａと、側部１６Ａの深さ方向の一端部に配置された底部１６Ｂと、を備えている（図３（Ａ）、（Ｂ）参照）。底部１６Ｂには、複数（本実施形態では、５つ）の第１開口部１７が形成されている。
【００２７】
また、床吹出口器１０は、筒体１６の底部１６Ｂに回転可能に重ね合わされる回転板２０と、回転板２０を回転操作する操作部材としての風量調整ピン２２と、を備えている。
【００２８】
図１及び図２に示されるように、目皿１２は、平面視にて略円形状の板材で構成されている（図２（Ａ）参照）。目皿１２の中心部には、略円形状の凹状部２６Ａが形成されており、凹状部２６Ａの中心部には、略円形状の貫通孔２６Ｂが形成されている。複数の吹出スリット１３は、凹状部２６Ａの周りにほぼ平行に配置されている。言い換えると、複数の吹出スリット１３は、その長手方向の向きを揃えるように配置されている。複数の吹出スリット１３は、長手方向の長さが幾つかの異なる長さに設定されている。本実施形態では、長手方向に沿って配置された２つの吹出スリット１３は、長手方向の長さがほぼ等しい。また、本実施形態では、長手方向の長さが長い吹出スリット１３と、長手方向の長さが短い吹出スリット１３とが、長手方向と略直交する方向に交互に配置されている。
【００２９】
複数の吹出スリット１３は、細長い開口とされており、目皿１２の上面１２Ｂに対して吹出方向が斜めとなるように形成されている。より具体的には、吹出スリット１３は、目皿１２の上面１２Ｂに対して斜め方向に配置された一対の傾斜面１３Ａ、１３Ｂを備えている。一対の傾斜面１３Ａ、１３Ｂは、ほぼ平行に対向して配置されている。これにより、複数の吹出スリット１３は、床吹出口器１０が取り付けられたフロアパネル１０２に対して吹出方向が斜めとなると共に、複数の吹出スリット１３の吹出方向がほぼ同じ方向に設定されている。目皿１２の上面１２Ｂの周縁部には、角部が切り欠かれた窪み部１２Ｃが形成されている。目皿１２の凹状部２６Ａの縁部には、貫通孔２６Ｂから上面１２Ｂに向かって上り勾配となるように配置されたテーパ部１２Ｄが形成されている（図１（Ｂ）参照）。
【００３０】
図１（Ａ）、（Ｂ）に示されるように、枠体１４は、平面視にて略矩形状（本実施形態では、略正方形状）に形成されており、中央部に目皿１２が配置される略円形状の開口１５が形成されている（図１（Ａ）参照）。ここで、枠体１４は、矩形プレートの一例である。枠体１４には、本体壁部１４Ａから開口１５側に突出する突起１４Ｂが形成されている（図１（Ｂ）参照）。突起１４Ｂは、本体壁部１４Ａの表面（上面）に沿って形成されている。枠体１４の突起１４Ｂには、目皿１２の窪み部１２Ｃが回転可能に係合されている（図１（Ｂ）参照）。これにより、目皿１２に設けられた幾つか（例えば、１又は２つ）の吹出スリット１３の縁部を把持して、枠体１４に対して目皿１２を回転させることで、吹出スリット１３からの風の吹出方向を変更可能とされている。
【００３１】
図３（Ａ）、（Ｂ）に示されるように、筒体１６の側部１６Ａは、平面視にて略矩形状に形成された筒状部とされている。筒体１６の底部１６Ｂは、側部１６Ａの深さ方向の一端部に配置されており、平面視にて略矩形状に形成されている（図３（Ａ）参照）。筒体１６は、側部１６Ａの深さ方向の他端部から外側に向かって屈曲された４つの外側壁部１６Ｃを備えている。筒体１６は、側部１６Ａの底部１６Ｂと反対側に上部開口１６Ｄを備えている。また、枠体１４は、筒体１６に取り付けられることで、枠体１４の開口１５は、筒体１６の上部開口１６Ｄと連通している。
【００３２】
目皿１２と筒体１６の外側壁部１６Ｃとの間には、複数の開口（図示省略）が形成された落下防止板１８が介在されている（図１（Ｂ）参照）。落下防止板１８は、例えば、略円形状に形成されており、複数の開口が千鳥状に配置されている。複数の開口は、例えば、φ４〜７ｍｍの円形状とされている。なお、落下防止板１８の形状及び複数の開口は、これに限定されるものではなく、他の形状でもよい。
【００３３】
筒体１６の底部１６Ｂには、中心部に略円形状の貫通孔３０が形成されている。複数（本実施形態では、５つ）の第１開口部１７は、貫通孔３０の周囲に周方向に沿ってほぼ等間隔に配置されている。言い換えると、第１開口部１７は、底部１６Ｂに回転板２０の回転方向に沿って複数形成されている。本実施形態では、第１開口部１７は、略扇状とされており、貫通孔３０側、すなわち半径方向内側に配置された円弧状の短辺１７Ａと、半径方向外側に配置された円弧状の長辺１７Ｂと、を備えている。複数の第１開口部１７における短辺１７Ａと長辺１７Ｂは、貫通孔３０の中心部に対してほぼ同心円状に配置されている。
【００３４】
図４（Ａ）、（Ｂ）に示されるように、回転板２０は、略円形状の板材で構成されている。回転板２０には、複数（本実施形態では、５つ）の第２開口部２１が形成されている。複数の第２開口部２１は、回転板２０の周方向に沿ってほぼ等間隔に配置されている。言い換えると、第２開口部２１は、回転板２０の回転方向に沿って複数形成されている。本実施形態では、第２開口部２１は、略扇状とされており、回転板２０の半径方向内側に配置された円弧状の短辺２１Ａと、回転板２０の半径方向外側に配置された円弧状の長辺２１Ｂと、を備えている。本実施形態では、第２開口部２１は、筒体１６の底部１６Ｂの第１開口部１７とほぼ同じ大きさであり、複数の第２開口部２１のすべてが複数の第１開口部１７と重なる位置に配置されている（図５（Ａ）参照）。
【００３５】
回転板２０の中心部には、略矩形状の貫通孔３２が形成されている。回転板２０の貫通孔３２の１辺の縁部には、回転板２０の面方向に対して略直交する方向に屈曲された左右一対の突出部３４、３４が形成されている。回転板２０の貫通孔３２の対向する辺の縁部にも同様に、回転板２０の面方向に対して略直交する方向に屈曲された左右一対の突出部３４、３４が形成されている。
【００３６】
回転板２０の周縁部の一部には、半径方向外側に張り出した延出部３６が設けられている。延出部３６は、略Ｕ字状に形成されており、回転板２０の面方向に沿って張り出している。
【００３７】
図１（Ｂ）、（Ｃ）に示されるように、回転板２０は、筒体１６の底部１６Ｂの側部１６Ａ側の面に重ね合わされた状態で、回転板２０の対向する左右一対の突出部３４、３４が底部１６Ｂの貫通孔３０を通じて底部１６Ｂの裏側に突出している。
【００３８】
風量調整ピン２２は、図１（Ｂ）に示されるように、軸部２２Ａと、軸部２２Ａの一端部側に形成された頭部２２Ｂと、を備えている。ここで、風量調整ピン２２は、ピンの一例である。頭部２２Ｂにおける軸部２２Ａ側には、頭部２２Ｂが凹状部２６Ａに嵌まり込んだ状態で、目皿１２のテーパ部１２Ｄに接触するテーパ部４０が形成されている。頭部２２Ｂのテーパ部４０が目皿１２のテーパ部１２Ｄに接触して頭部２２Ｂが凹状部２６Ａに嵌まり込んだ状態で、軸部２２Ａの先端部は、回転板２０の貫通孔３２及び筒体１６の底部１６Ｂの貫通孔３０に挿通されている（図１（Ｃ）参照）。回転板２０の貫通孔３２の周囲には、回転板２０における目皿１２と対向する面に接触する座金４２が配置されている。座金４２には、軸部２２Ａが挿通される貫通孔が形成されている。目皿１２と座金４２との間には、回転板２０を筒体１６の底部１６Ｂ側に押圧する圧縮コイルばね４４が配置されている。本実施形態では、圧縮コイルばね４４の一端部は、目皿１２と接触しており、圧縮コイルばね４４の他端部は、座金４２と接触している。
【００３９】
風量調整ピン２２の軸部２２Ａの先端部には、割りピン４６が挿通される貫通部が形成されている。図１（Ｃ）に示されるように、割りピン４６を軸部２２Ａの貫通部に挿通させ、割りピン４６の一方側の係止部４６Ａを回転板２０の一方の左右一対の突出部３４、３４に係止させる。そして、割りピン４６の他方側を互いに離れる方向に屈曲させ、一対の屈曲部４６Ｂを回転板２０の他方の左右一対の突出部３４、３４に係止させることで、風量調整ピン２２の軸部２２Ａが回転板２０に中央部に連結されている。これにより、風量調整ピン２２が目皿１２の中央部に目皿１２に対して回転可能に取り付けられると共に、風量調整ピン２２が回転板２０と一体的に回転するようになっている。
【００４０】
図１（Ａ）に示されるように、風量調整ピン２２の頭部２２Ｂの目皿１２側の露出面には、頭部２２Ｂの直径方向に摘み部５０が設けられている。例えば、摘み部５０は、頭部２２Ｂの表面から軸方向外側に突出する構成とされている。これにより、摘み部５０を把持して風量調整ピン２２を目皿１２に対して回動させることで、回転板２０が風量調整ピン２２と一体的に回転するようになっている。回転板２０が周方向に沿って回転することで、回転板２０の複数の第２開口部２１が筒体１６の底部１６Ｂの複数の第１開口部１７と重なる面積が変化するようになっている（図５（Ａ）、（Ｂ）参照）。すなわち、回転板２０の複数の第２開口部２１の位置により、筒体１６の底部１６Ｂの複数の第１開口部１７の通風面積が可変可能とされている。
【００４１】
（作用及び効果）
次に、本実施形態の作用及び効果について説明する。
【００４２】
床スラブ１０４と間隔をあけて支持されたフロアパネル１０２に形成された吹出口１１２には、床吹出口器１０の筒体１６を備えた枠体１４が嵌め込まれている。枠体１４には、目皿１２が回転可能に取り付けられており、目皿１２には、フロアパネル１０２に対して斜めとされた吹出スリット１３が形成されている。これにより、部屋１０１の内部側（室内側）、すなわちフロアパネル１０２の上方側から、目皿１２を枠体１４に対して回転させることで、吹出スリット１３から吹き出される風の方向が調整される。
【００４３】
また、筒体１６の底部１６Ｂには、第１開口部１７が形成されており、底部１６Ｂに回転板２０が回転可能に重ね合わされている。回転板２０には、第１開口部１７の通風面積を可変とする第２開口部２１が形成されており、回転板２０を回転操作する風量調整ピン２２が目皿１２に回動可能に取り付けられている。これにより、室内側、すなわちフロアパネル１０２の上方側から風量調整ピン２２を回動させることで、風量調整ピン２２と一体的に回転板２０が回転する。例えば、図５（Ａ）に示されるように、回転板２０の回転位置により、複数の第２開口部２１が底部１６Ｂの複数の第１開口部１７と一致するときは、第１開口部１７の通風面積が最も大きくなる。また、図５（Ｂ）に示されるように、回転板２０の回転により、複数の第２開口部２１が移動すると、第２開口部２１の位置により第１開口部１７の通風面積が可変される。
【００４４】
このため、床吹出口器１０では、風量調整ピン２２の回動操作により回転板２０を回転させることで、筒体１６の底部１６Ｂの第１開口部１７から筒体１６に導入される風量が調整され、目皿１２の吹出スリット１３から吹き出される風の風量が調整される。したがって、床吹出口器１０では、室内側からの目皿１２の回転と風量調整ピン２２の回動操作により、吹出スリット１３から吹き出される風の風向と風量を容易に調整することができる。
【００４５】
また、床吹出口器１０では、筒体１６の底部１６Ｂに回転板２０の回転方向に沿って複数の第１開口部１７が形成されており、回転板２０に回転板２０の回転方向に沿って複数の第２開口部２１が形成されている。そして、風量調整ピン２２の回動操作により回転板２０を回転させることで、複数の第２開口部２１の位置により複数の第１開口部１７の通風面積が可変される。このため、床吹出口器１０では、吹出スリット１３から吹き出される風の風量の調整が容易であると共に、回転板２０の回転方向に沿って風の吹出量が偏ることが抑制される。
【００４６】
また、床吹出口器１０では、操作部材としての風量調整ピン２２は、目皿１２の中央部に配置され、回転板２０の中央部に連結されている。このため、簡単な構成により、室内側、すなわちフロアパネル１０２の上方側から回転板２０を回転させる風量調整ピン２２を設けることができる。
【００４７】
さらに、床吹出口器１０では、吹出口１１２は、隣り合うフロアパネル１０２の辺１０２Ａを切り欠いた切欠き部１１０を合わせて矩形状に形成され、筒体１６は、切欠き部１１０に嵌る枠体１４に取り付けられている。このため、標準品のフロアパネル１０２に切欠き部１１０を形成でき、フロアパネル１０２に専用の吹出口を設けずに済む。
【００４８】
〔変形例〕
次に、図８を用いて、床吹出口構造１３０の変形例について説明する。なお、前述した第１実施形態と同一構成部分については、同一番号を付してその説明を省略する。
【００４９】
図８に示されるように、床吹出口構造１３０は、部屋１３１の床を構成する床材１３２を備えている。床材１３２には、複数（本実施形態では３つ）の吹出口１１２が形成されており、複数の吹出口１１２にそれぞれ床吹出口器１０の枠体１４（図１参照）が嵌め込まれている。図示を省略するが、床材１３２は、略矩形状の複数のフロアパネルを並べて配置することによって構成されている。
【００５０】
床材１３２は、複数の支持脚１０６により、床スラブ１０４と間隔をあけて支持されている。部屋１３１の外部には、空調システム１５０が設けられており、部屋１３１から矢印Ｄ方向に引き込まれた空気が空調システム１５０で熱交換され、空調システム１５０から送出された空気がフロアパネル１０２と床スラブ１０４との間の空間Ｓを所定の方向（本実施形態では、矢印Ａ方向）に送風される。図示を省略するが、床材１３２は、厚み方向に沿って配置された複数の細かい貫通孔を備えており、複数の貫通孔により通気性を有している。例えば、複数の貫通孔は、床材１３２のほぼ全面に形成されている。これにより、床スラブ１０４と床材１３２との間に送られる風が床材１３２の複数の貫通孔を通じて矢印Ｃ方向に染み出す（すなわち、通気される）ようになっている。
【００５１】
床材１３２上には、複数の机１４０及び椅子１４２が配置されている。例えば、床吹出口器１０が配置された位置と近い位置に一対の机１４０及び椅子１４２が配置されており、椅子１４２に着座した人員Ｐに床吹出口器１０の吹出スリット１３（図１参照）から矢印Ｂ方向に吹き出された風が当たるようになっている。
【００５２】
上記の床吹出口構造１３０では、床材１３２が通気性を有しており、床スラブ１０４と床材１３２との間に送られた風が、通気性を有する床材１３２の面から室内側（部屋１３１の内部側）に矢印Ｃ方向に通気される。このため、床材１３２の面からの通気により、空調の気流を感じさせない快適な室内空間を得ることができる。
【００５３】
さらに、床吹出口構造１３０では、椅子１４２に着座した人員Ｐに近い位置にそれぞれ床吹出口器１０が配置されている。これにより、それぞれの人員Ｐが自らに近い位置の床吹出口器１０の目皿１２（図１参照）の回転と風量調整ピン２２（図１参照）の回動を操作することにより、それぞれの人員Ｐの好みに応じた最適な風向と風量に調整することができる。
【００５４】
〔補足説明〕
床吹出口器１０において、吹出スリット１３の個数、形状、目皿１２の上面に対する吹出スリット１３の傾斜角度などは、上記実施形態に限定されず、変更が可能である。
【００５５】
風量調整ピン２２を回転板２０に割りピン４６を用いて連結する構造は、上記実施形態に限定されず、変更が可能である。風量調整ピン２２の形状も、上記実施形態に限定されず、他の形状の操作部材に変更可能である。また、操作部材を回転板に割りピン以外の他の連結具を用いて連結する構成でもよい。
【００５６】
また、床吹出口構造１３０において、床吹出口器１０の数や配置位置は、上記変形例に限定されず、変更が可能である。
【００５７】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００５８】
１０   床吹出口器
１２   目皿（蓋部材の一例）
１３   吹出スリット
１４   枠体（矩形プレートの一例）
１５   開口
１６   筒体
１６Ｂ 底部
１６Ｄ 上部開口
１７   第１開口部
１７Ａ 短辺
２０   回転板
２１   第２開口部
２２   風量調整ピン（操作部材の一例、ピンの一例）
１０２ フロアパネル（床材の一例）
１０２Ａ      辺
１０４ 床スラブ
１１０ 切欠き部
１１２ 吹出口
１３０ 床吹出口構造
１３２ 床材
【図１】
2020091043.tif 000003
【図２】
2020091043.tif 000004
【図３】
2020091043.tif 000005
【図４】
2020091043.tif 000006
【図５】
2020091043.tif 000007
【図６】
2020091043.tif 000008
【図７】
2020091043.tif 000009
【図８】
2020091043.tif 000010